(57)【要約】【課題】障害を持つ患者によっては、１つだけの検出センサーでは呼び出し意思の検出が充分ではない場合があり、また、装備されている全てのセンサーが動作する方式では、不必要な検出をする可能性が高くなり誤動作しやすい。  患者の障害状況に応じて適正な検出センサーを選択できる呼び出し装置を提供する。  【解決手段】  複数の種類の検出センサーが用意されている呼び出し装置において、患者の体の状況に応じて、単一または複数の検出センサーの稼働を選択できるスイッチや操作部や外部からの設定手段を有し、選択した内容をスイッチまたは記憶部に保持して、保持・選択された検出センサーが動作することで適正な検出センサーによるナースコール呼び出しが出来る。【選択図】図１
2007117457.tif 000002
【特許請求の範囲】
【請求項１】
複数の種類の検出センサーが用意されている呼び出し装置において、患者または被介護者の体の状況に応じて、単一または複数の前記検出センサーの稼働を選択できるスイッチを設け、選択された前記検出センサーが動作することを特徴とする呼び出し装置。
【請求項２】
複数の種類の検出センサーが用意されている呼び出し装置において、患者または被介護者の体の状況に応じて、単一または複数の前記検出センサーの稼働を選択できる手段を有し、選択した内容を記憶部に保持して、前記記憶部に保持・選択された前記検出センサーが動作することを特徴とする呼び出し装置。
【発明の詳細な説明】
【技術分野】
【０００１】
本発明は、病院や福祉介護施設で使用される呼び出し装置に関する。
【背景技術】
【０００２】
病院や福祉介護施設でナースコールシステムに使用される患者が看護師を呼び出す呼び出し装置
は、通常は呼び出しボタンが使用される。  しかし、手足や指など体に障害を持つ患者は、呼び出しボタンを押下して看護師を呼ぶことが出来ない場合がある。  この様な場合には、息を吹きかけて呼び出しを行う呼気式や体の一部をセンサーに接触して呼び出す接触式や一定以上の音声に反応する音圧式や光の反射や遮断を検出する受光式やまばたき・視線を検出する画像式などのセンサーを使用して呼び出しの意思を検出し、呼び出しを行っている。（特許文献１を参照）
【特許文献１】公開２００５−１５９４５９
【発明の開示】
【発明が解決しようとする課題】
【０００３】
従来の障害者用呼び出し装置は、検出センサーを１台の装置に１つしか持っていなかった。  そのため病院や福祉介護施設では、患者の状況に合わせた検出センサーをもつ呼び出し装置を用意しなければならなかったが、近年、１台の呼び出し装置で複数の検出センサーを準備するようになってきた。
【０００４】
複数の検出センサーを持つ呼び出し装置は、検出センサーを切り替えて１つの検出センサーのみが動作して呼び出しの意思を検出するようになっている。  または、検出センサーを切り替えることなく、装備されている全てのセンサーが動作するようになっている。
【０００５】
障害を持つ患者によっては、１つだけの検出センサーでは呼び出し意思の検出が充分ではない場合があり、切り替えて１つの検出センサーのみが動作する方式では的確に呼び出しを行えない。
また、装備されている全てのセンサーが動作する方式では、不必要な検出をする可能性が高くなり
誤動作しやすい。  例えば、体を動かせる患者が寝返りをしたら接触センサーに触れて呼び出しが行われてしまったなどである。
【０００６】
本発明は、患者の障害状況に応じて適正な検出センサーを選択できる呼び出し装置を提供することにある。
【課題を解決するための手段】
【０００７】
複数の種類の検出センサーが用意されている呼び出し装置において、患者の体の状況に応じて、単一または複数の検出センサーの稼働を選択できるスイッチや操作部や外部からの設定手段を有し、選択した内容をスイッチまたは記憶部に保持して、保持・選択された検出センサーが動作することで適正な検出センサーによるナースコール呼び出しが出来る。
【発明の効果】
【０００８】
本発明は、患者の障害に合わせた適正な検出センサーを選択できるので誤動作を防ぎ、かつ的確に呼び出しを捉える効果が期待できる。  また、患者の容態の回復状況に合わせて適宜動作する検出センサーを変更出来る柔軟性を持つ為、別の呼び出し装置に取り替える必要が無い。
【発明を実施するための最良の形態】
【０００９】
以下、本発明の一実施形態を図面に基づいて説明する。
図１は、複数センサーを持つ呼び出し装置の内部構成を示す。  この呼び出し装置は、呼び出しを検出する各センサー（１から６）と、  センサーの信号レベルを設定されたレベル以上か判定する閾値判定部（８から１１）と、瞬きや視線の変化を画像で捉えて画像処理する画像処理部（１２）と、判定結果を受けてその信号の継続時間を設定された時間以上継続するか監視し、設定時間以上センサーの信号が継続した時に呼び出しの意思があると判断する制御部（１３）と、  閾値のレベル設定や継続時間の設定や患者の体の状況に合わせて稼働するセンサーを選択する操作を行う操作部（１６）と、  操作部の情報や外部から設定情報を制御部へ入力する入出力部（１７）と、設定された情報を記憶する記憶部（１５）と、  呼び出しの意思があると判断した制御部がナースコール呼び出しの信号を出力するナースコール呼び出し出力部（１４）から構成される。
【００１０】
マイクロフォン（１）は、音声や呼気（ブレス）によって呼び出しを行うためのセンサーであり、患者や被介護者の口元に設置されて音声や息吹きを集音する。  音声などを集音して電気信号に変換し、音声増幅器（７）で信号を増幅する。  増幅度合いまたは減衰度合いは、操作部（１６）で設定することが出来るため、患者の声が小さい場合は増幅度を上げ、大きな声であれば増幅度を下げて誤動作する音声や周囲の音を検出しないようにしている。
【００１１】
電気信号に変換した音声信号は、閾値判定部（８）に入力されて操作部（１６）で設定されたレベル以上か判定される。  設定されたレベル以上のとき、制御部（１３）ではその信号の継続時間を監視し、操作部（１６）で設定された時間以上に音声信号が継続している場合にナースコール呼び出し出力部（１４）の接点をＯＮにして呼び出しを行う。
【００１２】
発光部（２）は、閾値判定部（９）から与えられる制御信号で変調された光信号を発光する。  光信号は、患者に見えない赤外線を使用し、操作部（１６）で到達距離や強度を設定できる。  患者の腕など体の一部で反射された光信号が受光センサー（３）で捉えられて電気信号に変換され、閾値判定部（９）へ入力され、設定されたレベル以上か判定される。  設定されたレベル以上のときは、音声信号と同様に継続時間を監視し、呼び出しの意思があると制御部（１３）で判断した時に
ナースコール呼び出し出力部（１４）の接点をＯＮにして呼び出しを行う。  
【００１３】
圧力センサー（４）は、患者の呼気圧力を検出して電気信号に変換するセンサーである。
【００１４】
接触センサー（５）は、患者の体の一部がセンサーに接触した時に静電容量の変化や漏洩電流などで接触を感知するセンサーである。
【００１５】
画像センサー（６）は、電荷結合素子（ＣＣＤ：Ｃｈａｒｇｅ  Ｃｏｕｐｌｅｄ  Ｄｅｖｉｃｅｓ
）などで患者の瞬きや視線の画像を捉えて電気信号に変換するセンサーである。  画像信号は、
画像処理部で画像変化から呼び出しの意思があるかを判定する。  制御部（１３）は、瞬きなどの動きが操作部（１６）で設定された時間以上継続している時に、ナースコール呼び出し出力部（１４）の接点をＯＮにして呼び出しを行う。
【００１６】
操作部（１６）は、各センサーの閾値（感度）の設定と、その信号の継続時間の設定と、患者の体の状態に適合して稼働するセンサーを選定するスイッチまたは選定操作と、呼び出し状態をリセットする操作と、上述の各設定情報を入力端末やＰＤＡ（携帯情報端末：Ｐｅｒｓｏｎａｌ  Ｄｉｇｉｔａｌ  Ａｓｓｉｓｔａｎｃｅ）などを利用して外部から入力する操作などを行う。
【００１７】
操作部（１６）や入力端末などで設定された情報は、記憶部（１５）に保持され、センサーの稼働条件を制御する。  
【００１８】
図２は、体に障害があり呼び出しの意思表示が呼び出しボタンでは行えない患者が、動作が可能な部位と不可能な部位を表にして、その状態の時に呼び出しの検出が可能なセンサーを表記したものである。  意思表示の可否の欄に○がある項目は動作が可能を示し、×は動作が不可能を示す。
例えば、１行目は声を出すことと息吹きが可能であるが、その他の動作が出来ない患者の場合であり、このときは稼働させるセンサーにマイクと呼気（ブレス）を選ぶ。  ６行目は、手や腕、視線や瞬きが可能な患者の場合であり、このときは接触、光、画像のセンサーを稼働する。
【００１９】
稼働させるセンサーを選択する場合、センサーを直接選ぶ方法と体の状態を入力することで制御部（１３）が判断してセンサーを選ぶ間接的な選択方法がある。  ＰＤＡなどの入力端末で看護師が入力する場合は、患者情報を入力端末で持っていれば間接的な方法の方がわかり易い。
【００２０】
患者の状態に合わせて、適切なセンサーを複数台稼働させることに拠り、患者の呼び出し意思を的確に捉えられ、誤動作を防止できる。
【００２１】
図１には５つのセンサーを例示したが、患者の意思を検出できるセンサーであれば図１に示したセンサーに限定する必要は無い。
【図面の簡単な説明】
【００２２】
【図１】複数センサーを持つ呼び出し装置の内部構成
【図２】意思表示可否と検出可能なセンサーの一覧例
【符号の説明】
【００２３】
1.           
マイクロフォン
2.           
発光部
3.           
受光センサー
4.           
圧力センサー
5.           
接触センサー
6.           
画像センサー（ＣＣＤカメラ）
7.           
音声増幅器
8.           
音声閾値判定部
9.           
光閾値判定部
10.    呼気（ブレス）閾値判定部
11.    接触閾値判定部
12.    画像処理部
13.    制御部
14.    ナースコール呼び出し出力部
15.    記憶部
16.    操作部
17.    入出力部
18.    外部接続端子
19.    入力端末
【図１】
2007117457.tif 000003
【図２】
2007117457.tif 000004